(57)【要約】【課題】使用後に加熱された部分が自動的に冷却されるヘアアイロンを提供すること。【解決手段】ヘアアイロン１は、加熱部２を冷却する風を送るように形成された送風路１２と、送風路１２に風を供給する送風ファン１５と、加熱部２を加熱するヒータ１０及び送風ファン１５を制御する制御部１１とを備える。制御部１１は、ヒータ１０を停止する際に、送風ファン１５を駆動し、所定時間すると停止する。また、ヘアアイロン１は、加熱部２の温度を検知するサーミスタ１６を備え、制御部１１は、サーミスタ１６からの検出信号に基づいて、加熱部２の温度が所定の温度よりも低くなったことを検出すると、送風ファン１５を停止する。【選択図】図２
2009118912.tif 000002
【特許請求の範囲】
【請求項１】
内接されたヒータにより加熱される加熱部にて毛髪に加熱処理を施すヘアアイロンであって、
前記加熱部を冷却する風を送るように形成された送風路と、前記送風路に風を供給する供給手段と、前記ヒータ及び供給手段を制御する制御手段とを備え、
前記制御手段は、前記ヒータを停止する際に前記供給手段を駆動し、所定時間経過すると前記供給手段を停止することを特徴とするヘアアイロン。
【請求項２】
請求項１に記載のヘアアイロンにおいて、
前記加熱部の温度を検知する検知手段を備え、前記制御手段は、前記検知手段からの検出信号に基づいて、前記加熱部の温度が所定の温度よりも低くなったことを検出すると、前記供給手段を停止することを特徴とするヘアアイロン。
【発明の詳細な説明】
【技術分野】
【０００１】
本発明は、毛髪に加熱処理を施すヘアアイロンに関するものである。
【背景技術】
【０００２】
従来、毛髪に加熱処理を施すことで、毛髪を所望の形状に整形するためのヘアアイロンが知られている。例えば、特許文献１には、加熱される部材と、押さえ部材とで毛髪を挟み込んで、毛髪を整形することができるヘアアイロンが提案されている。
【特許文献１】実開昭５９−５１０４号公報
【発明の開示】
【発明が解決しようとする課題】
【０００３】
しかしながら、上記従来の構成であると、ヘアアイロンの使用後、しばらくは本体部の加熱された部分の温度が高い状態が続くため、不用意に手などが触れてしまうと熱く感じるため、扱いに注意を要するという問題があった。このため、ヘアアイロンに、加熱した部分を冷却するための構成を設けることが考えられるが、使用後に加熱された部分が十分冷却されたかどうか確認する必要があり、使用上、ユーザにとって煩わしいという問題があった。そこで、ヘアアイロンの使用後に、加熱された部分が自動的に十分冷却されることが望まれていた。
【０００４】
本発明は、上記課題を解決するためになされたものであって、その目的は、使用後に加熱された部分が自動的に冷却されるヘアアイロンを提供することにある。
【課題を解決するための手段】
【０００５】
上記課題を解決するために、請求項１に記載の発明は、内接されたヒータにより加熱される加熱部にて毛髪に加熱処理を施すヘアアイロンであって、前記加熱部を冷却する風を送るように形成された送風路と、前記送風路に風を供給する供給手段と、前記ヒータ及び供給手段を制御する制御手段とを備え、前記制御手段は、前記ヒータを停止する際に前記供給手段を駆動し、所定時間経過すると前記供給手段を停止する。
【０００６】
同構成によれば、ヒータの停止にともない供給手段が駆動され送風路に風が供給されることで加熱部が冷却され、所定時間経過すると供給手段は自動的に停止される。このため、ヘアアイロンの使用後、加熱部は自動的に十分に冷却され、ユーザが加熱部に不用意に触れたときに感じる熱さを低減できるとともに、必要がないときに供給手段が駆動されず、供給手段を効率よく使用することができる。
【０００７】
請求項２に記載の発明は、請求項１に記載のヘアアイロンにおいて、前記加熱部の温度を検知する検知手段を備え、前記制御手段は、前記検知手段からの検出信号に基づいて、前記加熱部の温度が所定の温度よりも低くなったことを検出すると、前記供給手段を停止する。同構成によれば、加熱部の実際の温度が所定の温度よりも低くなれば供給部が停止されるため、供給手段をより効率よく使用することができる。
【発明の効果】
【０００８】
従って、上記記載の発明によれば、使用後に加熱された部分が自動的に冷却される。
【発明を実施するための最良の形態】
【０００９】
以下、本発明を具体化した一実施の形態を図面に従って説明する。
図１に示すように、ヘアアイロン１は略円柱形状とされており、一方の略半分の部分（図１中、左半分）が金属製のパイプよりなる加熱部２とされ、他方の略半分の部分（図１中、右半分）がユーザにより把持される樹脂製のグリップ３とされている。グリップ３の側面には、ユーザにより押圧操作されるスイッチ４が突設されている。また、加熱部２のグリップ３と反対側の端部には、キャップ５が設けられている。
【００１０】
加熱部２には、加熱部２の外周面に沿った略板状の押さえ部材６が、加熱部２の外周面に対して接離可能に設けられている。押さえ部材６のグリップ３側の端部には、押さえ部材６を加熱部２の外周面に対して接離させるための、グリップ３側に延びた操作部７が連結されている。操作部７は、ねじりコイルばね（図示略）によりグリップ３から離間する方向に常時付勢されている。このため、操作部７に外力が作用していない状態では、図１中実線で示すように、押さえ部材６は加熱部２の外周面に押圧接触するようになっている。そして、操作部７をねじりコイルばねの付勢力に抗してグリップ３側に近接する方向に回動させると、図１中二点鎖線で示すように、押さえ部材６が加熱部２の外周面から離間するようになっている。ヘアアイロン１においては、加熱部２と押さえ部材６とにより毛髪を挟み込み、毛髪に加熱整形処理を施すことができるようになっている。
【００１１】
図２に示すように、加熱部２は略円筒形状とされており、加熱部２の内周側面には、加熱部２に接触するようにヒータ１０が配設されている。ヒータ１０は、グリップ３に内蔵された制御手段としての制御部１１に接続されており、制御部１１により駆動制御される。詳しくは、制御部１１は前記スイッチ４に接続されており、スイッチ４が押圧操作されると、制御部１１はヒータ１０を駆動し、スイッチ４の押圧操作が解除されると、ヒータ１０を停止する。
【００１２】
また、加熱部２及びグリップ３の内側には、長手方向に延びるように貫通する送風路１２が形成されている。送風路１２の加熱部２側(図２中、左側)の開口部は前記キャップ５により封止されており、グリップ３側（図２中、右側）の開口部にはフィルター１３が設けられている。
【００１３】
送風路１２の内側には、送風路１２よりも径がやや小さい送風管１４が設けられている。送風管１４は、ヘアアイロン１の長手方向に、フィルター１３の位置から延びるように設けられており、キャップ５側の端部は送風路１２よりもやや短くなるように配置されている。そして、送風管１４の内部において、グリップ３の略加熱部２側の端部に相当する位置に、送風管１４内においてキャップ５側に向けて風を送る供給手段としての送風ファン１５が設けられている。送風ファン１５は、制御部１１に接続されており、制御部１１により駆動制御される。詳しくは、制御部１１は、前記ヒータ１０を停止すると同時に、送風ファン１５を駆動し、予め設定された所定時間経過すると、送風ファン１５を停止する。
【００１４】
送風ファン１５が駆動されると、フィルター１３を介して、送風管１４内に外部の空気が吸引され、キャップ５側に向けて（図２中、左方向）風が送られる。その風は、加熱部２内において送風管１４から排出され、キャップ５まで到達すると、キャップ５側の端部にて折り返され、送風路１２内をグリップ３側に向けて（図２中、右方向）送られる。このとき、送風路１２を流れる風により、加熱部２は冷却される。そして、送風路１２において加熱部２の内側を通過した風は、フィルター１３を介して外部に排出される。なお、制御部１１は、加熱部２を十分冷却するだけの時間、送風ファン１５を駆動するものであり、送風ファン１５の駆動時間は、１０秒〜４０秒が好ましい。
【００１５】
また、ヒータ１０には、加熱部２の温度を検知するための検知手段としてのサーミスタ１６が設けられている。サーミスタ１６は、制御部１１に接続されており、制御部１１に加熱部２の温度に基づく信号を出力する。制御部１１は、サーミスタ１６から加熱部２の温度を入力すると、加熱部２の温度が予め設定されている温度よりも低いと判断すれば、送風ファン１５を停止する。なお、制御部１１に予め設定されている温度、即ち、制御部１１がヒータ１０を停止するときの温度は、５０度〜６５度であることが好ましい。
【００１６】
例えば、ユーザの操作に基づいて、加熱部２が十分加熱される前に制御部１１がヒータ１０を停止した場合、送風ファン１５の駆動時間が短くても、加熱部２は十分冷却される。その場合、制御部１１は、ヒータ１０を駆動してから予め設定された所定時間が経過する前に、サーミスタ１６からの検出結果に基づいてヒータ１０を停止する。
【００１７】
次に、本実施形態の特徴的な作用効果を記載する。
（１）ヘアアイロン１では、ヒータ１０の停止にともない送風ファン１５が駆動され、送風路１２に風が供給されることで、加熱部２が冷却され、所定時間経過すると、送風ファン１５が自動的に停止される。このため、ヘアアイロン１の使用後、加熱部２は自動的に十分冷却され、ユーザが加熱部２に不用意に触れたときに感じる熱さを低減することができるとともに、必要がないときに送風ファン１５が駆動されず、送風ファン１５を効率よく使用することができる。
【００１８】
（２）ヘアアイロン１では、サーミスタ１６の検出結果に基づいて、加熱部２の実際の温度が所定の温度よりも低くなれば送風ファン１５が停止されるため、送風ファン１５をより効率よく使用することができる。
【００１９】
尚、本発明の実施形態は、以下のように変更してもよい。
・上記実施形態において、加熱部２を冷却する風を送る送風管１４は、他の態様としてもよい。例えば、図３に示すように、送風路２１内に送風管を設けず、供給手段としての送風ファン２２から送られる風により直接加熱部２を冷却するように構成してもよい。この場合、送風路２１のグリップ３側の端部、及び、グリップ３と反対側の端部に、それぞれフィルター２３，２４を設ければよい。そうすると、送風ファン２２が駆動されると、送風路２１のグリップ３側の端部からフィルター２３を介して空気が吸引され、送風路２１内に風が送られ、フィルター２４を介して外部に排出される。この構成であると、送風路内に送風管を設ける場合と比較して、ヘアアイロンを径方向に小型化することができる。
【００２０】
・上記実施形態では、検知手段として、サーミスタ１６を用いたが、加熱部２の温度を検知することが可能であればサーミスタ以外のものを使用してもよく、例えば、白金測温抵抗体や、熱電対を用いてもよい。
【００２１】
・上記実施形態では、ヘアアイロン１が略円柱形状である場合について説明したが、ヘアアイロンを他の形状としてもよく、例えば扁平直方体形状としてもよい。
【図面の簡単な説明】
【００２２】
【図１】ヘアアイロンの平面図。
【図２】ヘアアイロンの説明図。
【図３】別例のヘアアイロンの説明図。
【符号の説明】
【００２３】
１…ヘアアイロン、２…加熱部、６…押さえ部材、１０…ヒータ、１１…制御手段としての制御部、１２，２１…送風路、１５，２２…供給手段としての送風ファン、１６…検知手段としてのサーミスタ。
【図１】
2009118912.tif 000003
【図２】
2009118912.tif 000004
【図３】
2009118912.tif 000005